【手続補正書】
【提出日】平成16年1月5日(2004.1.5)
【手続補正１】
【補正対象書類名】明細書
【補正対象項目名】特許請求の範囲
【補正方法】変更
【補正の内容】
【特許請求の範囲】
【請求項１】
ポリウレタンエラストマーとその共重合体、トランス−ペンテナマーとその共重合体、エチレンピメレートとその共重合体、トランス−１，４−ポリブタジエンとその共重合体および合成シス−１，４−ポリイソプレンとその共重合体より成る群がら選ばれる物質から成る、第１の形状と大きさ、第２の形状と大きさおよびある一定の転移温度を有するゴム系材料であって、該ゴム系材料に、その温度を少なくとも該転移温度まで上昇させる結果に至らしめるのと同等のエネルギーを加えると、その第２の形状と大きさからその第１の形状と大きさに向かって収縮する上記のゴム系材料。
【請求項２】
コンドームに用いられる、請求の範囲第１項に記載のゴム系材料。
【請求項３】
手袋に用いられる、請求の範囲第１項に記載のゴム系材料。
【請求項４】
コンドーム−カテーテルのコンドーム部分に用いられる、請求の範囲第１項に記載のゴム系材料。
【請求項５】
ある一定の転移温度を有するゴム系材料を製造および利用する方法にして、次の：
（i）該ゴム系材料を第１の形状と大きさに製造し、そして架橋し、ここで該ゴム系材料はポリウレタンエラストマーとその共重合体、トランス−ペンテナマーとその共重合体、エチレンピメレートとその共重合体、トランス−１，４−ポリブタジエンとその共重合体および合成シス−１，４−ポリイソプレンとその共重合体より成る群から選ばれる物質から成り；
(ii）工程（i）を行った後、該ゴム系材料に、その温度を少なくともその転移温度まで上昇させる結果に至らしめるのと同等のエネルギーを加え；
（iii）工程（i）を行った後、該ゴム系材料を第２の形状と大きさに引き伸ばし、ここで工程（ii）と（iii）は、該ゴム系材料が第２の形状と大きさにあり、同時に該ゴム系材料の有効温度が少なくともその転移温度である状態となっているように行われ；そして
（iv）工程（ii）および（iii）が行なわれた後、該ゴム系材料が第２の形状と大きさに保持されている間に該ゴム系材料の有効温度を該転移温度より低い温度まで下げ、ここで該第２の形状と大きさの保持は、該ゴム系材料が、その温度を少なくとも該転移温度まで上昇させる結果に至らしめるのと同等のエネルギーが続いて該ゴム系材料に加えられるまで第２の形状と大きさに留まり、そして温度が上昇すると、該ゴム系材料が第２の形状と大きさから第１の形状と大きさに向かって収縮するようにように行われる；
工程を含む、上記の方法。
【請求項６】
ゴム系材料にその第２の形状と大きさから第１の形状と大きさに向かって収縮するようにエネルギーを加える工程をさらに含んでいる、請求の範囲第５項に記載の方法。
【請求項７】
ゴム系材料がポリウレタンエラストマーおよびその共重合体からなる、請求の範囲第５項に記載の方法。
【請求項８】
ゴム系材料がトランス−ペンテナマーおよびその共重合体からなる、請求の範囲第５項に記載の方法。
【請求項９】
ゴム系材料がエチレンピメレートおよびその共重合体からなる、請求の範囲第５項に記載の方法。
【請求項１０】
ゴム系材料がトランス−１，４−ポリブタジエンおよびその共重合体からなる、請求の範囲第５項に記載の方法。
【請求項１１】
ゴム系材料が合成シス−１，４−ポリイソプレンおよびその共重合体からなる、請求の範囲第５項に記載の方法。
【請求項１２】
請求の範囲第５項に記載の方法に従って製造されたコンドーム。
【請求項１３】
請求の範囲第６項に記載の方法に従って製造され、そして用いられるコンドーム。
【請求項１４】
請求の範囲第７〜１１項の任意の１項に記載の方法に従って製造されたコンドーム。
【請求項１５】
請求の範囲第５項に記載の方法に従って製造された手袋。
【請求項１６】
請求の範囲第６項に記載の方法に従って製造され、そして用いられる手袋。
【請求項１７】
請求の範囲第７〜１１項の任意の１項に記載の方法に従って製造された手袋。
【請求項１８】
請求の範囲第５項に記載の方法に従って製造されたコンドーム−カテーテル。
【請求項１９】
請求の範囲第６項に記載の方法に従って製造され、そして用いられるコンドーム−カテーテル。
【請求項２０】
請求の範囲第７〜１１項の任意の１項に記載の方法に従って製造されたコンドーム−カテーテル。
【請求項２１】
請求の範囲第５項に記載の方法に従って製造された口腔歯科用ダム。
【請求項２２】
請求の範囲第６項に記載の方法に従って製造され、そして用いられる口腔歯科用ダム。
【請求項２３】
請求の範囲第７〜１１項の任意の１項に記載の方法に従って製造された口腔歯科用ダム。
【請求項２４】
請求の範囲第５項または第７〜１１項の任意の１項に記載の方法に従って製造された創傷被覆材。
【請求項２５】
請求の範囲第６項に記載の方法に従って製造され、そして用いられる創傷被覆材。
【請求項２６】
請求の範囲第５項または第７〜１１項の任意の１項に記載の方法に従って製造された外科分野での区画材。
【請求項２７】
請求の範囲第６項に記載の方法に従って製造され、そして用いられる外科分野での区画材。
【請求項２８】
ポリブタジエンとその共重合体、ポリウレタンエラストマーとその共重合体、トランス−ペンテナマーとその共重合体、ポリエチレンピメレートとその共重合体、トランス−１，４−ポリブタジエンとその共重合体、合成イソプレンとその共重合体および合成シス−１，４−ポリイソプレンとその共重合体より成る群から選ばれる化合物から成るゴム系材料からできているコンドームにして、次の：
（i）該ゴム系材料を第１の形状と大きさに製造し、そして架橋し；
（ii）工程（i）を行った後、該ゴム系材料に、その温度を少なくともその転移温度まで上昇させる結果に至らしめるのと同等のエネルギーを加え；
（iii）工程（i）を行った後、該ゴム系材料を第２の形状と大きさに引き伸ばし、ここで工程（ii）と（iii）は、該ゴム系材料が第２の形状と大きさにあり、同時に該ゴム系材料の有効温度が少なくともその転移温度である状態となっているように行われ；そして
（iv）工程（ii）および（iii）が行なわれた後、該ゴム系材料が第２の形状と大きさに保持されている間に該ゴム系材料の有効温度を該転移温度より低い温度まで下げ、ここで該第２の形状と大きさの保持は、該ゴム系材料が、その温度を少なくとも該転移温度まで上昇させる結果に至らしめるのと同等のエネルギーが続いて該ゴム系材料に加えられるまで第２の形状と大きさに留まり、そして温度が上昇すると、該ゴム系材料が第２の形状と大きさから第１の形状と大きさに向かって収縮するようにように行われる；
工程を含んでなる方法に従って製造された上記のコンドーム。
【請求項２９】
ポリブタジエンとその共重合体、トランス−１，４−ポリブタジエンとその共重合体および合成シス−１，４−ポリイソプレンとその共重合体より成る群から選ばれるゴム系材料から本質的に成るコンドーム。
【請求項３０】
物質がポリウレタンエラストマーおよびその共重合体から成る、請求の範囲第１項に記載のゴム系材料。
【請求項３１】
物質がトランス−ペンテナマーおよびその共重合体から成る、請求の範囲第１項に記載のゴム系材料。
【請求項３２】
物質がエチレンピメレートおよびその共重合体から成る、請求の範囲第１項に記載のゴム系材料。
【請求項３３】
物質がトランス−１，４−ポリブタジエンおよびその共重合体から成る、請求の範囲第１項に記載のゴム系材料。
【請求項３４】
物質が合成シス−１，４−ポリイソプレンおよびその共重合体から成る、請求の範囲第１項に記載のゴム系材料。
【請求項３５】
ポリブタジエンとその共重合体、トランス−１，４−ポリブタジエンとその共重合体および合成シス−１，４−ポリイソプレンとその共重合体より成る群から選ばれるゴム系材料から本質的に成る手袋。
【請求項３６】
ポリブタジエンとその共重合体、トランス−１，４−ポリブタジエンとその共重合体、合成イソプレンとその共重合体および合成シス−１，４−ポリイソプレンとその共重合体より成る群がら選ばれるゴム系材料から本質的に成る口腔歯科用ダム。
【請求項３７】
トランス−１，４−ポリブタジエンとその共重合体、合成イソプレンとその共重合体および合成シス−１，４−ポリイソプレンとその共重合体より成る群から選ばれるゴム系材料から本質的に成る伸縮性包帯。
【請求項３８】
ポリブタジエンとその共重合体、トランス−１，４−ポリブタジエンとその共重合体、合成イソプレンとその共重合体および合成シス−１，４−ポリイソプレンとその共重合体より成る群がら選ばれるゴム系材料から本質的に成る哺乳瓶の乳首。
【請求項３９】
ポリブタジエンとその共重合体、トランス−１，４−ポリブタジエンとその共重合体、合成イソプレンとその共重合体および合成シス−１，４−ポリイソプレンとその共重合体より成る群がら選ばれるゴム系材料から本質的に成るおしゃぶり。
【請求項４０】
ポリブタジエンとその共重合体、トランス−１，４−ポリブタジエンとその共重合体および合成シス−１，４−ポリイソプレンとその共重合体より成る群から選ばれるゴム系材料から本質的に成るカテーテル。
【請求項４１】
ポリブタジエンとその共重合体、トランス−１，４−ポリブタジエンとその共重合体および合成シス−１，４−ポリイソプレンとその共重合体より成る群から選ばれるゴム系材料から本質的に成る止血帯。
【請求項４２】
ポリブタジエンとその共重合体、トランス−１，４−ポリブタジエンとその共重合体、合成イソプレンとその共重合体および合成シス−１，４−ポリイソプレンとその共重合体より成る群がら選ばれるゴム系材料から本質的に成る歯科用排液管。
【請求項４３】
ポリブタジエンとその共重合体、トランス−１，４−ポリブタジエンとその共重合体、合成イソプレンとその共重合体および合成シス−１，４−ポリイソプレンとその共重合体より成る群がら選ばれるゴム系材料から本質的に成る点滴ラインおよびカテーテル用注入口。
【請求項４４】
ポリブタジエンとその共重合体、トランス−１，４−ポリブタジエンとその共重合体、合成イソプレンとその共重合体および合成シス−１，４−ポリイソプレンとその共重合体より成る群がら選ばれるゴム系材料から本質的に成る衣料品用の弾性バンド。
【請求項４５】
第１の形状と大きさ、第２の形状と大きさおよびある転移温度を有する、コンドーム−カテーテルのコンドーム部分に用いられるゴム系材料であって、該ゴム系材料に、その温度を少なくとも該転移温度まで上昇させる結果に至らしめるのと同等のエネルギーを加えると、その第２の形状と大きさからその第１の形状と大きさに向かって収縮する上記のゴム系材料。
【請求項４６】
次の：
（i）ある転移温度を有するゴム系材料を第１の形状と大きさに製造し、そして架橋し；
（ii）工程（i）を行った後、該ゴム系材料に、その温度を少なくともその転移温度まで上昇させる結果に至らしめるのと同等のエネルギーを加え；
（iii）工程（i）を行った後、該ゴム系材料を第２の形状と大きさに引き伸ばし、ここで工程（ii）と（iii）は、該ゴム系材料が第２の形状と大きさにあり、同時に該ゴム系材料の有効温度が少なくともその転移温度である状態となっているように行われ；そして
（iv）工程（ii）および（iii）が行なわれた後、該ゴム系材料が第２の形状と大きさに保持されている間に該ゴム系材料の有効温度を該転移温度より低い温度まで下げ、ここで該第２の形状と大きさの保持は、該ゴム系材料が、その温度を少なくとも該転移温度まで上昇させる結果に至らしめるのと同等のエネルギーが続いて該ゴム系材料に加えられるまで第２の形状と大きさに留まり、そして温度が上昇すると、該ゴム系材料が第２の形状と大きさから第１の形状と大きさに向かって収縮するようにように行われる；
工程を含む方法によって製造されたコンドーム。
【請求項４７】
次の：
（i）ある転移温度を有するゴム系材料を第１の形状と大きさに製造し、そして架橋し；
（ii）工程（i）を行った後、該ゴム系材料に、その温度を少なくともその転移温度まで上昇させる結果に至らしめるのと同等のエネルギーを加え；
（iii）工程（i）を行った後、該ゴム系材料を第２の形状と大きさに引き伸ばし、ここで工程（ii）と（iii）は、該ゴム系材料が第２の形状と大きさにあり、同時に該ゴム系材料の有効温度が少なくともその転移温度である状態となっているように行われ；そして
（iv）工程（ii）および（iii）が行なわれた後、該ゴム系材料が第２の形状と大きさに保持されている間に該ゴム系材料の有効温度を該転移温度より低い温度まで下げ、ここで該第２の形状と大きさの保持は、該ゴム系材料が、その温度を少なくとも該転移温度まで上昇させる結果に至らしめるのと同等のエネルギーが続いて該ゴム系材料に加えられるまで第２の形状と大きさに留まり、そして温度が上昇すると、該ゴム系材料が第２の形状と大きさから第１の形状と大きさに向かって収縮するようにように行われる；
工程を含む方法によって製造されたコンドーム−カテーテル。
【請求項４８】
次の：
（i）ある転移温度を有するゴム系材料を第１の形状と大きさに製造し、そして架橋し；
（ii）工程（i）を行った後、該ゴム系材料に、その温度を少なくともその転移温度まで上昇させる結果に至らしめるのと同等のエネルギーを加え；
（iii）工程（i）を行った後、該ゴム系材料を第２の形状と大きさに引き伸ばし、ここで工程（ii）と（iii）は、該ゴム系材料が第２の形状と大きさにあり、同時に該ゴム系材料の有効温度が少なくともその転移温度である状態となっているように行われ；そして
（iv）工程（ii）および（iii）が行なわれた後、該ゴム系材料が第２の形状と大きさに保持されている間に該ゴム系材料の有効温度を該転移温度より低い温度まで下げ、ここで該第２の形状と大きさの保持は、該ゴム系材料が、その温度を少なくとも該転移温度まで上昇させる結果に至らしめるのと同等のエネルギーが続いて該ゴム系材料に加えられるまで第２の形状と大きさに留まり、そして温度が上昇すると、該ゴム系材料が第２の形状と大きさから第１の形状と大きさに向かって収縮するようにように行われる；
工程を含む方法によって製造された口腔歯科用ダム。